【手続補正書】
【提出日】平成19年3月30日(2007.3.30)
【手続補正１】
【補正対象書類名】明細書
【補正対象項目名】発明の名称
【補正方法】変更
【補正の内容】
【発明の名称】画像読取装置、及び画像読取装置の制御方法
【手続補正２】
【補正対象書類名】明細書
【補正対象項目名】特許請求の範囲
【補正方法】変更
【補正の内容】
【特許請求の範囲】
【請求項１】  原稿の画像を読み取る読取手段と、
シェーディング板を読み取ったデータに基づいてシェーディング目標値を得るためのシェーディング補正値を作成する作成手段と、
前記作成手段により作成された前記シェーディング補正値を用いて、前記読取手段により読み取られた原稿の画像に対してシェーディング補正を行うシェーディング補正手段とを有し、
前記作成手段は、前記シェーディング板の第１の位置における読み取りデータに基づいて、シェーディング補正値を作成し、
前記シェーディング補正手段は、前記第１の位置とは異なる前記シェーディング板の第２の位置における読み取りデータに対して、前記作成されたシェーディング補正値を用いてシェーディング補正を行い、
前記シェーディング補正されたデータに、前記シェーディング目標値よりも明るい値を示すデータが含まれる場合、前記作成手段は、前記第２の位置における読み取りデータに基づいてシェーディング補正値を作成し、前記シェーディング補正手段は、前記作成されたシェーディング補正値に基づいて、前記読取手段により読み取られた原稿の画像に対してシェーディング補正を行うことを特徴とする画像読取装置。
【請求項２】  前記読取手段は、主走査方向に並んだ複数の光電変換素子を有することを特徴とする請求項１記載の画像読取装置。
【請求項３】  前記第２の位置は、前記主走査方向と直角をなす副走査方向において前記第１の位置とずれていることを特徴とする請求項２記載の画像読取装置。
【請求項４】  前記シェーディング板の第１の位置における読み取りデータに基づいて、シェーディング補正値を作成し、前記シェーディング板の第２の位置における読み取りデータに対して、前記作成されたシェーディング補正値を用いてシェーディング補正を行い、前記シェーディング補正されたデータが予め決められた値である場合に、前記作成手段は、前記第２の位置における読み取りデータに基づいてシェーディング補正値を作成し、前記シェーディング補正手段は、前記作成されたシェーディング補正値に基づいて、前記読取手段により読み取られた原稿の画像に対してシェーディング補正を行うことを特徴とする請求項１記載の画像読取装置。
【請求項５】  原稿の画像を読み取る読取手段と、シェーディング板を読み取ったデータに基づいてシェーディング目標値を得るためのシェーディング補正値を作成する作成手段と、前記作成手段により作成された前記シェーディング補正値を用いて、前記読取手段により読み取られた原稿の画像に対してシェーディング補正を行うシェーディング補正手段とを有する画像読取装置の制御方法において、
前記シェーディング板の第１の位置における読み取りデータに基づいて、シェーディング補正値を作成するステップと、
前記第１の位置とは異なる前記シェーディング板の第２の位置における読み取りデータに対して、前記作成されたシェーディング補正値を用いてシェーディング補正を行うステップと、
前記シェーディング補正されたデータに、前記シェーディング目標値よりも明るい値を示すデータが含まれる場合、前記第２の位置における読み取りデータに基づいてシェーディング補正値を作成し、前記作成されたシェーディング補正値に基づいて、前記読取手段により読み取られた原稿の画像に対してシェーディング補正を行うステップと、
を有することを特徴とする画像読取装置の制御方法。
【手続補正３】
【補正対象書類名】明細書
【補正対象項目名】０００１
【補正方法】変更
【補正の内容】
【０００１】
【発明の属する技術分野】
本発明は、画像読取装置、及び画像読取装置の制御方法に関し、特に、シェーディング板の読み取りデータに基づき補正値を求め、該補正値を使用して読み取りムラを補正するシェーディング補正機能を有した画像読取装置、及び画像読取装置の制御方法に関する。
【手続補正４】
【補正対象書類名】明細書
【補正対象項目名】００２９
【補正方法】変更
【補正の内容】
【００２９】
本発明はこのような問題点に鑑みてなされたものであって、精度良いゴミ検出を可能とする画像読取装置、及び画像読取装置の制御方法を提供することを目的とする。
【手続補正５】
【補正対象書類名】明細書
【補正対象項目名】００３０
【補正方法】変更
【補正の内容】
【００３０】
【課題を解決するための手段】
上記目的を達成するために、請求項１記載の画像形成装置は、原稿の画像を読み取る読取手段と、シェーディング板を読み取ったデータに基づいてシェーディング目標値を得るためのシェーディング補正値を作成する作成手段と、前記作成手段により作成された前記シェーディング補正値を用いて、前記読取手段により読み取られた原稿の画像に対してシェーディング補正を行うシェーディング補正手段とを有し、前記作成手段は、前記シェーディング板の第１の位置における読み取りデータに基づいて、シェーディング補正値を作成し、前記シェーディング補正手段は、前記第１の位置とは異なる前記シェーディング板の第２の位置における読み取りデータに対して、前記作成されたシェーディング補正値を用いてシェーディング補正を行い、前記シェーディング補正されたデータに、前記シェーディング目標値よりも明るい値を示すデータが含まれる場合、前記作成手段は、前記第２の位置における読み取りデータに基づいてシェーディング補正値を作成し、前記シェーディング補正手段は、前記作成されたシェーティング補正値に基づいて、前記読取手段により読み取られた原稿の画像に対してシェーディング補正を行うことを特徴とする。
【手続補正６】
【補正対象書類名】明細書
【補正対象項目名】００３１
【補正方法】変更
【補正の内容】
【００３１】
また、請求項５記載の画像読取装置の制御方法は、原稿の画像を読み取る読取手段と、シェーディング板を読み取ったデータに基づいてシェーディング目標値を得るためのシェーディング補正値を作成する作成手段と、前記作成手段により作成された前記シェーディング補正値を用いて、前記読取手段により読み取られた原稿の画像に対してシェーディング補正を行うシェーディング補正手段とを有する画像読取装置の制御方法において、前記シェーディング板の第１の位置における読み取りデータに基づいて、シェーディング補正値を作成するステップと、前記第１の位置とは異なる前記シェーディング板の第２の位置における読み取りデータに対して、前記作成されたシェーディング補正値を用いてシェーディング補正を行うステップと、前記シェーディング補正されたデータに、前記シェーディング目標値よりも明るい値を示すデータが含まれる場合、前記第２の位置における読み取りデータに基づいてシェーディング補正値を作成し、前記作成されたシェーティング補正値に基づいて、前記読取手段により読み取られた原稿の画像に対してシェーディング補正を行うステップと、を有することを特徴とする。
【手続補正７】
【補正対象書類名】明細書
【補正対象項目名】００３２
【補正方法】削除
【補正の内容】
【手続補正８】
【補正対象書類名】明細書
【補正対象項目名】００５０
【補正方法】変更
【補正の内容】
【００５０】
このデータマップでは、画素Ｃのデータはライン横断方向に全て２５５になっており、周囲の画素はほぼ２４５になっている。このデータマップから分かるように、画素Ｃのデータが明らかに異質のデータであることが明白である。このように複数ライン分のシェーディング補正後データが記憶可能であれば、ゴミのある画素が主走査方向と直角をなす副走査方向のライン状の白スジになってあらわれるので、白スジを検出する演算処理を行えば、１ライン分のラインメモリを用いてゴミ検知するよりも精度良い検知が可能である。
【手続補正９】
【補正対象書類名】明細書
【補正対象項目名】００６６
【補正方法】変更
【補正の内容】
【００６６】
【発明の効果】
以上詳述したように本発明によれば、シェーディング板の第１の位置における読み取りデータに基づいて、シェーディング補正値を作成し、第１の位置とは異なるシェーディング板の第２の位置における読み取りデータに対して、作成されたシェーディング補正値を用いてシェーディング補正を行い、シェーディング補正されたデータに、シェーディング目標値よりも明るい値を示すデータが含まれる場合、第２の位置における読み取りデータに基づいてシェーディング補正値を作成し、作成されたシェーティング補正値に基づいて、読取手段により読み取られた原稿の画像に対してシェーディング補正を行うので、シェーディング板にゴミが付着した場合でも、ゴミを避けたシェーディング位置を検出することができ、これによって、良好なシェーディング補正を実現でき、高品位な読み取り画像の提供が可能となる。
【手続補正１０】
【補正対象書類名】明細書
【補正対象項目名】００６７
【補正方法】削除
【補正の内容】
【手続補正１１】
【補正対象書類名】明細書
【補正対象項目名】００６８
【補正方法】削除
【補正の内容】